(57)【要約】【課題】床面に凹凸を生じさせない収納設備を提供する。【解決手段】収納設備１０は、所定の間隔を有して配置される一対の右固定棚３０と、左固定棚５０と、一対の右固定棚３０と、左固定棚５０との上部間に架け渡されて配設されるレール部材としての前レール部材１１１、後レール部材１１２と、一対の右固定棚３０と、左固定棚５０の間に作業用の空間を残すように配置され、前レール部材１１１、後レール部材１１２に吊り下げられるとともに、前記レール部材に沿って移動可能な可動棚７０と、を備えている。【選択図】図１
2019154788.tif 000002
【特許請求の範囲】
【請求項１】
所定の間隔を有して配置される一対の固定棚と、
一対の前記固定棚の上部間に架け渡されて配設されるレール部材と、
一対の前記固定棚の間に作業用の空間を残すように配置され、前記レール部材に吊り下げられるとともに、前記レール部材に沿って移動可能な可動棚と、
を備えていることを特徴とする収納設備。
【請求項２】
少なくとも前記可動棚には、前記作業用の空間において、前記可動棚の外に移動可能な棚部材が配設されていることを特徴とする請求項１記載の収納設備。
【発明の詳細な説明】
【技術分野】
【０００１】
本発明は、被収納物を収納可能な収納設備に関するものである。
【背景技術】
【０００２】
従来の収納設備（棚設備）として、特許文献１に記載されるものがあった。これによれば、一対の固定棚を所定間隔を置いて配置し、これら固定棚間に亘って床上に複数条のレールを配置するとともに、これらレールに走行用車輪を介して支持案内される可動棚を設けていた。
【０００３】
これにより、可動棚を移動可能としていた。
【先行技術文献】
【特許文献】
【０００４】
【特許文献１】特開平４−３５６１２号公報
【発明の概要】
【発明が解決しようとする課題】
【０００５】
しかし、上記の棚設備では、床上に複数条のレールを配置するための工事が必要となり、床面に凹凸が生じて、人が躓く（つまづく）おそれがあった。
【０００６】
本発明は、上記事情に鑑み、床面に凹凸を生じさせない収納設備を提供するものである。
【課題を解決するための手段】
【０００７】
請求項１記載の発明では、所定の間隔を有して配置される一対の固定棚と、
一対の前記固定棚の上部間に架け渡されて配設されるレール部材と、
一対の前記固定棚の間に作業用の空間を残すように配置され、前記レール部材に吊り下げられるとともに、前記レール部材に沿って移動可能な可動棚と、
を備えている。
【０００８】
これによれば、レール部材を、一対の固定棚の上部間に架け渡すように配設して、可動棚をレール部材に沿って移動可能とすることで、設置面積に対する収納容量を増加させたうえで、床工事を不要とし、床面に凹凸を生じさせない収納設備とすることができる。
【０００９】
また、少なくとも前記可動棚に、前記作業用の空間において、前記可動棚の外に移動可能な棚部材を配設すれば、棚部材を、作業用の空間において、可動棚の外側に出してその上に被収納物等を乗せて作業をすることが可能となる。
【図面の簡単な説明】
【００１０】
【図１】本発明における一実施形態の収納設備の斜視図である。
【図２】同実施形態の正面図である。
【図３】同実施形態の右側面図である。
【図４】同実施形態の平面図である。
【図５】図４のＶ―Ｖ線矢視断面図である。
【図６】固定棚と可動棚を分解した状態の斜視図である。
【図７】図５の部分拡大図である。
【図８】図７のＶＩＩＩ―ＶＩＩＩ線矢視断面図である。
【発明を実施するための形態】
【００１１】
本発明における収納設備の一実施形態を図面に基づいて説明する。以下の説明では、各図面に付される矢印の、Ｆを前、Ｂを後ろ、Ｒを右、Ｌを左、Ｕを上、Ｄを下、方向とする。
【００１２】
本実施形態では、被収納物として薬物が収納される調剤用の収納設備として適用する場合について説明する。
【００１３】
収納設備１０は、図１〜６に示すように、固定棚２０と、可動棚７０と、吊り下げ機構１００、を備えている。
【００１４】
固定棚２０は、一対の、右固定棚３０と、左固定棚５０と、で構成されている。
【００１５】
右固定棚３０は、図１〜６に示すように、下板３１と、前板３２と、後板３３と、上板３４と、を有して、左右方向において両端部が開放した角筒状に形成されている。左右方向における中央部で仕切板３５により左右の収納領域に区画され、上下方向における中央下部で天板３６により上下の収納領域に区画されている。さらに、上棚板３７、下棚板３８により、複数段の収納領域に区画されている。
【００１６】
右固定棚３０の下端部には、金属製で、矩形枠状に形成されたベースフレーム３９が配設されている。ベースフレーム３９は、床用固定金具４０を介して床面に固定されている。
【００１７】
左固定棚５０は、図１〜６に示すように、下板５１と、前板５２と、後板５３と、上板５４と、を有して、左右方向において両端部が開放した角筒状に形成されている。本実施形態では、左右方向における左端部に仕切板５５が取り付けられ、左側の端部が閉塞している。上下方向における中央下部で天板５６により上下の収納領域に区画されている。さらに、上棚板５７、下棚板５８により、複数段の収納領域に区画されている。
【００１８】
左固定棚５０の下端部には、金属製で、矩形枠状に形成されたベースフレーム５９が配設されている。ベースフレーム５９は、床用固定金具６０を介して床面に固定されている。
【００１９】
なお、上棚板３７、上棚板５７上には、図示しない、合成樹脂製で上側が開口する箱状の引き出しケースが配置され、内部に被収納物としての薬物が収納される。
【００２０】
可動棚７０（区別するときには、可動棚７０Ａ、可動棚７０Ｂとする）は、図１〜６に示すように、下板７１と、前板７２と、後板７３と、上板７４と、を有して、左右方向において両端部が開放した角筒状に形成されている。左右方向における中央部で仕切板７５により左右の収納領域に区画されている。
【００２１】
可動棚７０は、上下方向における中央下部で、棚部材としてのスライド棚７９を境界として上下の収納領域に区画されている。スライド棚７９は、前板７２と、後板７３の内面側に取り付けられたスライドレール８０を介して、可動棚７０の前板７２と、後板７３に取り付けられている。
【００２２】
詳説すれば、本実施形態では、スライドレール８０は、固定部８１において、前板７２及び後板７３の右側の部分に取り付けられている。スライド棚７９は、スライドレール８０の可動部８２どうしを架け渡すように取り付けられ、可動棚７０の仕切板７５より右側において出入り可能とされている。換言すれは、右固定棚３０と、左固定棚５０との間に形成される、作業用の空間Ｓにおいて可動棚７０の内外を出入り可能であるといえる。
【００２３】
さらに、可動棚７０は、上棚板７７、下棚板７８により、複数段の収納領域に区画されている。
【００２４】
可動棚７０の下端部には、ベースフレーム３９、ベースフレーム５９のような部材は、配設されず下板７１と床面との間に隙間を有する構成とされている。
【００２５】
前板７２と、後板７３の外面の上下方向における中央上部に、手で把持して可動棚７０を移動可能とする把持部材８３が取り付けられている。
【００２６】
本実施形態では、同じ構成の可動棚７０Ａ、７０Ｂが二つ配されている。
【００２７】
なお、上棚板７７上には、図示しない、合成樹脂製で上側が開口する箱状の引き出しケースが配置され、内部に被収納物としての薬物が収納される。
【００２８】
吊り下げ機構１００は、図１〜８に示すように、レールユニット１１０と、車輪ユニット１２０と、を有している。
【００２９】
レールユニット１１０は、図１〜８に示すように、上板３４及び上板５４の前端部どうしを架け渡すように配される前レール部材１１１（特許請求の範囲のレール部材に相当する）と、上板３４及び上板５４の後端部どうしを架け渡すように配される後レール部材１１２（特許請求の範囲のレール部材に相当する）と、前レール部材１１１と後レール部材１１２間に架け渡される複数の固定側補強部材１１３と、を有して略梯子状に形成されている。
【００３０】
前レール部材１１１及び後レール部材１１２は、金属製で角筒状のパイプが用いられ、左右方向における端部で、上板３４及び上板５４の上面にボルト締め等されて固定されている。固定側補強部材１１３は、前後方向における端部で、前レール部材１１１及び後レール部材１１２にボルト締め等されて固定されている。
【００３１】
前レール部材１１１と後レール部材１１２の左右方向における両端面には、横目隠し板１１４が前後方向に沿って架け渡されるようにそれぞれ配設されている。
【００３２】
前レール部材１１１と後レール部材１１２の左右方向における両端部の上面には、上目隠し板１１５が前後方向に沿って架け渡されるようにそれぞれ配設されている。
【００３３】
なお、固定側補強部材１１３には、図示しない人感センサとライトが取り付けられ、人感センサが人を検知したら、ライトが点灯する構成となっている。
【００３４】
車輪ユニット１２０は、図１〜８に示すように、可動棚７０の上部に配設されている。車輪ユニット１２０は、略Ｌ字状に形成された取付ブラケット１２１と、車輪１２２と、可動側補強部材１３０と、を有している。
【００３５】
取付ブラケット１２１は、水平部１２１ａと、垂直部１２１ｂと、を有し、垂直部１２１ｂにおいて、可動棚７０の前板７２、後板７３の上端部に取り付けられている。
【００３６】
可動側補強部材１３０は、下方が開放した溝形鋼形状で、可動棚７０の外側（右側の可動側補強部材１３０では右側、左側の可動側補強部材１３０では左側）の部位から、左右方向からみて、略Ｌ字状に形成されたＬ字部１３１が延設されている。Ｌ字部１３１の水平部分の前後方向における端部には、規制ローラ１３２が回転軸を上下方向としてそれぞれ取り付けられ、前レール部材１１１では後面、後レール部材１１２では前面、と当接するとともに転動可能とされ、可動棚７０に取り付けられる車輪ユニット１２０の前後方向への移動を規制している。
【００３７】
一対の取付ブラケット１２１の左端部どうし、右端部どうし、に可動側補強部材１３０を架け渡すようにそれぞれ取り付けられ、取付ブラケット１２１と、可動側補強部材１３０とで、上下方向からみて、矩形枠状に形成されている。
【００３８】
取付ブラケット１２１の水平部１２１ａの下面に、可動側補強部材１３０の一部が重ね合わされて配置され、さらにその下面に車輪１２２が取り付けられている。
【００３９】
吊り下げ機構１００により、可動棚７０は、床面と隙間を有した状態で、前レール部材１１１、後レール部材１１２に吊り下げられた状態となる。
【００４０】
可動棚７０Ａ、可動棚７０Ｂは、左固定棚５０側に寄せられて、可動棚７０Ａと、右固定棚３０との間には、作業用の空間Ｓが形成されている。換言すれば、可動棚７０Ａ、可動棚７０Ｂは、右固定棚３０と左固定棚５０との間で作業用の空間Ｓを残すように配置されている。
【００４１】
本実施形態における機能作用を説明する。例えば図１に示す状態において、可動棚７０Ａの把持部材８３を手で持ち、右方向に動かすことで、前レール部材１１、後レール部材１１２の上面上を、車輪１２２が転動することで、可動棚７０Ａが、前レール部材１１１、後レール部材１１２に沿って（左右方向に沿って）右側に移動して右固定棚３０と一体化した状態とすることができる。このとき、スライド棚７９は、可動棚７０Ａの内側に移動させることができ、右固定棚３０を傷つけることを防止することができる。また、可動棚７０Ａと床面とは隙間を有しているので、床面を傷つけることはない。
【００４２】
また、図１の示すように、作業用の空間Ｓにおいて、スライド棚７９を可動棚７０Ａの外に出すことで、被収納物としての薬物を乗せて調剤作業をすることが可能となる。
【００４３】
そして、収納設備１０では、床面に凹凸を生じさせないので、調剤作業中に躓く（つまづく）ことを防止できる。劇物を扱うこともある調剤作業の安全性を向上させることが可能となるといえる。
【００４４】
本実施形態の収納設備１０では、所定の間隔を有して配置される一対の固定棚２０としての右固定棚３０と、左固定棚５０と、一対の右固定棚３０と、左固定棚５０との上部間に架け渡されて配設されるレール部材としての前レール部材１１１、後レール部材１１２と、一対の右固定棚３０と、左固定棚５０の間に作業用の空間Ｓを残すように配置され、前レール部材１１１、後レール部材１１２に吊り下げられるとともに、前記レール部材に沿って移動可能な可動棚７０と、を備えている。
【００４５】
これによれば、前レール部材１１１、後レール部材１１２を、一対の右固定棚３０と、左固定棚５０の上部間に架け渡すように配設して、可動棚７０を前レール部材１１１、後レール部材１１２に沿って移動可能とすることで、設置面積に対する収納容量を増加させたうえで、床工事を不要とし、床面に凹凸を生じさせない収納設備とすることができる。
【００４６】
また、可動棚７０に、作業用の空間Ｓにおいて、可動棚７０の外に移動可能な棚部材としてのスライド棚７９を配設しているので、スライド棚７９を、作業用の空間Ｓにおいて、可動棚７０の外側に出してその上に被収納物等を乗せて作業をすることが可能となる。
【００４７】
本発明の収納設備は上記構成に限定されるものではない。即ち、本発明の要旨を逸脱しない限り各種の設計変更等が可能である。
【００４８】
例えば、薬物が収納される調剤用の収納設備だけでなく、被収納物は、特に限定されない、化粧品、食品、衣料品、その他の被収納物等が収納される収納設備に適用することができる。
【００４９】
また、固定棚２０の構成は、適宜変更することができる、二つの右固定棚３０、二つの左固定棚５０で、構成することも可能であり、可動棚７０と同様な構成とすることもできる。
【００５０】
また、可動棚７０の構成を、右固定棚３０と、左固定棚５０と同様の構成とすることもできる。
【００５１】
また、可動棚７０の数は適宜変更することができる。
【００５２】
また、吊り下げ機構１００は、前レール部材１１１と後レール部材１１２に吊り下げられて、前レール部材１１１と後レール部材１１２に沿って移動できるのであれば、車輪以外の既存の構成を用いることができる。
【００５３】
また、レール部材の数も二本以外の、数とすることも可能である。
【符号の説明】
【００５４】
１０  収納設備
２０  固定棚
３０  右固定棚
５０  左固定棚
７０  可動棚
７０Ａ  可動棚
７０Ｂ  可動棚
７９  スライド棚
１００  吊り下げ機構
１１１  前レール部材
１１２  後レール部材
１２０  車輪ユニット
Ｓ  作業用の空間
【図１】
2019154788.tif 000003
【図２】
2019154788.tif 000004
【図３】
2019154788.tif 000005
【図４】
2019154788.tif 000006
【図５】
2019154788.tif 000007
【図６】
2019154788.tif 000008
【図７】
2019154788.tif 000009
【図８】
2019154788.tif 000010